Podtech/llm-jp-corpus-v4-ja_patent huggingface dataset:
(57)【要約】【課題】  湿り空気を用いた手指の消毒に際し、消毒空間内に外部の空気が誘引されて湿り空気が汚染されることを防止できる手指消毒装置を提供する。【解決手段】  貯水された水槽３と、当該水槽３内の水分を温めるための熱源機５と、水分を粒子化する振動子４と、手指を挿入するための開口部８を有するカバー材２と、上記水槽３の上方に位置し、上記カバー材２で上記開口部８以外が密閉された手指消毒空間６とを備え、上記開口部８の周縁の全部又は一部には、外側に突出する突状部材９が備わる。【選択図】        図１
0003125949.tif 000002
【実用新案登録請求の範囲】
【請求項１】
貯水された水槽と、
当該水槽内の水分を温めるための熱源機と、
水分を粒子化する振動子と、
手指を挿入するための開口部を有するカバー材と、
上記水槽の上方に位置し、上記カバー材で上記開口部以外が密閉された手指消毒空間とを備え、
上記開口部の周縁の全部又は一部には、外側に突出する突状部材が備わることを特徴とする手指消毒装置。
【請求項２】
上記突状部材は、断面が凹凸形状に形成されることを特徴とする請求項１に記載の手指消毒装置。
【考案の詳細な説明】
【技術分野】
【０００１】
本考案は、湿り空気による手指を消毒、殺菌するための手指消毒装置に関するものである。
【背景技術】
【０００２】
湿り空気は殺菌作用を有する。これを用いて手指を消毒することが考えられる。湿り空気は水のみで形成され、化学薬品等を含んでいないため、特に手指を対象として消毒（殺菌）を行うにあたり、人体への影響がなく、簡単な構造となり、経済的観点からも好ましい。
【０００３】
湿り空気の場合、外部からの空気が消毒空間内に入り込むと、湿り空気を発生させる水分の汚染の原因となる。湿り空気は、消毒空間の下部で発生させて、消毒空間内を上昇させて手指を消毒するため、この空気の流れにより手指を挿入する開口部付近が陰圧となり、さらに消毒空間内は外部より高温であるため、外部の空気が消毒空間内に流入しやすくなる。湿り空気は当該水分を排水せずに使用し続けるため、極力汚染されることを防止する必要がある。
【考案の開示】
【考案が解決しようとする課題】
【０００４】
本考案は上記従来技術を考慮したものであって、湿り空気を用いた手指の消毒に際し、消毒空間内に外部の空気が誘引されて湿り空気が汚染されることを動力等を用いずに防止できる手指消毒装置の提供を目的とするものである。
【課題を解決するための手段】
【０００５】
前記目的を達成するため、請求項１の考案では、貯水された水槽と、当該水槽内の水分を温めるための熱源機と、水分を粒子化する振動子と、手指を挿入するための開口部を有するカバー材と、上記水槽の上方に位置し、上記カバー材で上記開口部以外が密閉された手指消毒空間とを備え、上記開口部の周縁の全部又は一部には、外側に突出する突状部材が備わることを特徴とする手指消毒装置を提供する。
【０００６】
また、請求項２の考案では、請求項１の考案において、上記突状部材は、断面が凹凸形状に形成されることを特徴としている。
【考案の効果】
【０００７】
請求項１の考案によれば、カバー材に備わる開口部の周縁から外側に突出する突状部材が備わるため、水槽から発生した湿り空気により、消毒空間が外部よりも高温となり、消毒空間内に上昇気流が発生し、対流が生じてカバー材の開口部付近が陰圧となっても、突状部材で外部の空気を遮り、消毒空間内に流入することを抑制できる。
【０００８】
請求項２の考案によれば、突状部材は、断面が凹凸形状に形成されるため、湿り空気の対流により外部空気を消毒空間内に誘引するような陰圧が生じても、その流れを乱すことができ、外部空気が消毒空間内に流入することを防止できる。
【考案を実施するための最良の形態】
【０００９】
本考案は、貯水された水槽と、当該水槽内の水分を温めるための熱源機と、水分を粒子化する振動子と、手指を挿入するための開口部を有するカバー材と、上記水槽の上方に位置し、上記カバー材で上記開口部以外が密閉された手指消毒空間とを備え、上記開口部の周縁の全部又は一部には、外側に突出する突状部材が備わることを特徴とする手指消毒装置である。
【実施例１】
【００１０】
図１は本考案に係る手指消毒装置の概略構成図である。
本考案に係る手指消毒装置１は、カバー材２と、水槽３と、振動子４と、熱源機５で構成される。手指Ｈを消毒するための手指消毒空間６は、水槽上部のカバー材２で覆われた空間により形成される。手指Ｈは、水槽３から発生する湿り空気により消毒（殺菌）される。
【００１１】
この湿り空気は、以下のようにして発生する。
水槽３内の水分を、水槽３に連結される熱源機５で約６０℃〜７０℃程度まで温める。この後、振動子４により、水槽３内の水分を粒子化させ、水粒とする。この振動子は、超音波振動子を用いることが好ましい。これにより、湿り空気が発生する。このとき、赤外光源７からの赤外線により、発生した湿り空気の冷却が防止される。この湿り空気は約６０℃〜７０℃であるため、熱すぎず、手指を消毒することに適した温度である。
【００１２】
カバー材２の開口部８周縁には、外側に突出する突状部材９が備わる。この突状部材９を設けることにより、外部の空気が手指消毒空間６内に流入することを防止できる。すなわち、発生した湿り空気は、手指消毒空間６内を上昇し、対流する（図の矢印方向）。この空気の流れにより、カバー材２の開口部８付近が陰圧（負圧）となる。この陰圧が、外部の空気を手指消毒空間６内に誘引する空気の流れを発生させる。この空気の流れは、手指消毒空間６内の温度が外部より高いため、より顕著に現れる。しかし、突状部材９により、この空気流れを遮ることができる。特に、カバー材２表面に沿って開口部８方向に流れる空気を突状部材９により遮断できる。したがって、手指消毒空間６内に外部空気が流入することを抑制できる。このように、本考案は動力機器を備えることなく外部空気の流入を防止できるので、装置の部品点数が減少し、コスト性が高く、装置が小型化する。
【００１３】
突状部材９は断面が凹凸形状を有するように形成される（図では断面Ｖ字形状）。このような形状とすることにより、突状部材９の開口から流入しようとする空気の流れを乱して撹拌できるので、確実に外部空気が手指消毒空間６内に流入することを防止できる。なお、この突状部材９は、カバー材２と一体成形してもよいし、別部材として後から取付けてもよい。また、突状部材９の形状は、空気の流れを乱す形状であれば、凹凸の形状、個数は適宜選択可能である。例えば、突状部材９の内側にフィンを形成することが考えられる。また、突状部材９は、開口部８の周縁全周にわたって形成してもよいし、一部に形成してもよい。
【産業上の利用可能性】
【００１４】
本考案は、消毒装置内に外部空気の流入を防ぐ構成として適用できる。
【図面の簡単な説明】
【００１５】
【図１】本考案に係る手指消毒装置の概略構成図。
【符号の説明】
【００１６】
１：手指消毒装置、２：カバー材、３：水槽、４：振動子、５：熱源機、６：手指消毒空間、７：赤外光源、８：開口部、９：突状部材
【図１】
0003125949.tif 000003
(57)【要約】      （修正有）【課題】知識や時間の必要な配色デザインを簡単に、理解しやすく、しかも事前に仕上がりを確認できるようにする。【解決手段】配色に利便性の高い色相環を使い、必要な色だけが見える窓状に穴の開いた配色シート。配色シートは、イメージや目的にあう配色用ごとに異なる窓の開口形状がある。この配色シートにより不必要な色を覆い隠すことで、使うべき色が眼で見てわかり、容易に色選びが可能になる。色相環と配色イメージにあった色のみが見える配色シートを使うことにより、使うべき色がすぐにわかり、色選択が容易になることで、この課題を解決する。【選択図】図４
0003125978.tif 000002
【実用新案登録請求の範囲】
【請求項１】
色相環の円盤を配色ごとにデザインされた窓の形状を持つ穴の開いた配色シートで覆い、配色に適した色が開いた窓から見えることを特徴とした配色デザイン用補助具
【請求項２】
１枚のシートで複数の配色が選択できる、色相環の中心軸に合わせる中心穴が複数ある配色シートとシートの不必要な色を隠す色相環下部のカバーの組み合わせを備えたことを特徴とした配色デザイン用補助具
【請求項３】
配色の色選びに使用する色相環は回転式で円周が歯車状になっており、配色シートを載せた際に、その歯車の一部が出て回転しやすいことを特徴とした配色デザイン用補助具
【請求項４】
配色面積に適した、色配分になった色相環を特徴とする配色デザイン用補助具
【考案の詳細な説明】
【技術分野】
【０００１】本考案は、配色デザインに使用するものであり、窓状に開いたシートを使用することで、配色に適する色のみが見え、色彩学の知識、センスに関係なく、色彩学的な基礎配色や配色デザインを容易にした用具である。
【背景技術】
【０００２】従来には、色相環、配色シートが一体となった形式の配色デザイン用具はなく、実際の色を見たり、色相環や色番号などを利用し、配色していた。
【考案の開示】
【考案が解決しようとする課題】
【０００３】従来では色彩に関する基本的な知識を習得することや色彩センスが必要とされる。また、莫大な色の中から必要な色を選び出し、配色した際の色合いや、いくつもの配色方法を事前に目で確認することは困難であり、イメージに合う配色デザインをすることは時間や知識を要し、色彩学や配色を学ぶ際にも理解に時間がかかることを解決することを課題とする。
【課題を解決するための手段】
【０００４】そこで、図１のように配色に利便性の高い色相環１を使い、請求項１は、その色相環に使用する、必要な色だけが見える窓状に穴の開いた配色シート（図２）を考案した。配色シートは、イメージや目的にあう配色用ごとに異なる窓の開口形状４がある。この配色シートにより不必要な色を覆い隠すことで、使うべき色が眼で見てわかり、容易に色選びが可能になる。配色シートをＡやＢのように変えることで、いくつもの配色を試すことができる。【０００５】配色には目的により方法はいくつもあるが、請求項２では、Ｂのように一枚の配色シートに色相環の中心軸に固定する穴を複数開けることで、図３、図５のように複数の配色が一枚のシートで可能になっている。同じシート状にある別の配色用の窓は色相環を固定している盤の下部にカバー３をつけ、図３のようにシートを載せたあとに、そのカバーをかぶせること（図４）で、他の配色用の窓は隠せ、目的の配色用の窓のみがあらわれ、必要な色だけを見ながら選択できる。【０００６】請求項３は、色相環１は固定された回転式で、色相環円周を歯車状２にすることで送りが容易になり、使いたい色を選出しやすくなっている。配色シートを載せた時にも、この歯車状の部分６が配色シートから出ているため、配色シートを載せた後でも色選択の変更が容易にでき、配色シートの窓に数多くの色をあわせ試すことができる。【０００７】色相環１上の色は、面積が違っており、請求項４は配色の際に使用する大きさの優先順位の目安がわかるように考案した。
【考案の効果】
【０００８】本考案により、特に色彩学の知識を持たないものでも、理論にそった美しい配色による色選びが容易になる。また、配色を実際に作る前に、目で確認できるため、色彩デザインに要する時間を軽減し、色彩や配色を学ぶものの理解がしやすくなる。配色デザインにおいて、色の選択に悩んだ際に、シートを変えることで、数多くの配色の効果を事前に、この用具により眼で見て確認することができる。さらに、一枚のシートで複数の配色方法ができるため、枚数を軽減でき、携帯に便利である。
【考案を実施するための最良の形態】
【０００９】材料は紙、プラスティック、ビニールなど通常文具、画材に使用するものでよい。また、色相環の形態は丸もしくは多角形がよく、周囲の歯車の形状は波状、ギザ状など、送りが容易にできればよい。その色相環に設置する配色シートは色相環を覆えるサイズであれば形状は問わず、シートの窓状の部分も扇状や三角形など、配色方法にあわせ、必要な色相環の色のみが出る数、大きさ、形にすればよい。
【図面の簡単な説明】
【００１０】
【図１】本考案による配色シート収納ポケット付のケースに回転式色相環を設置した状態である。
【図２】単一デザイン用の配色シートＡと複数デザイン用配色シートＢである。
【図３】必要な配色シートを色相環に配置した状態と不要な配色シートを収納ポケットに収納した状態である。
【図４】図３に、下部カバーをかぶせ、不要な開口窓を隠し、配色に必要な色のみが出ている状態である。
【図５】図３の配色シートＢを上下逆にし、もう一つの配色デザイン用中心穴を使用し配置し、窓の開口部から必要な色が出ている状態である。
【符号の説明】
【００１１】１  色相環
２  歯車状色相環周囲部
３  下部カバー
４  配色シート窓状開口部
５  中心軸配置用穴
６  送りよう歯車部
Ａ  単一デザイン用配色シート
Ｂ  複数デザイン用配色シート
Ｃ  配色シート収納ポケット
【図１】
0003125978.tif 000003
【図２】
0003125978.tif 000004
【図３】
0003125978.tif 000005
【図４】
0003125978.tif 000006
【図５】
0003125978.tif 000007
【手続補正書】
【提出日】平成18年7月6日(2006.7.6)
【手続補正１】
【補正対象書類名】実用新案登録請求の範囲
【補正対象項目名】全文
【補正方法】変更
【補正の内容】
【実用新案登録請求の範囲】
【請求項１】
色相環の円盤を配色ごとにデザインされた窓の形状を持つ穴の開いた配色シートで覆い、配色に適した色が開いた窓から見えることを特徴とした、配色デザイン用補助具
【請求項２】
１枚のシートで複数の配色が選択できる、色相環の中心軸に合わせる中心穴が複数ある配色シートとシートの不必要な色を隠す色相環下部のカバーの組み合わせを備えたことを特徴とした、請求項１記載の配色デザイン用補助具
【請求項３】
配色の色選びに使用する色相環は回転式で円周が歯車状になっており、配色シートを載せた際に、その歯車の一部が出て回転しやすいことを特徴とした、請求項１または、請求項２に記載の配色デザイン用補助具
【請求項４】
色相環が配色面積に適した色配分になっていることを特徴とした、請求項１、２、３のいずれかに記載の配色デザイン用補助具
(57)【要約】【課題】カーテンを作る時に使う原油の削減【解決手段】有色の電球にすることにより体感の温度を上げたり下げたりすること【選択図】図１
0003125972.tif 000002
【実用新案登録請求の範囲】
【請求項１】
従来の蛍光灯を中央に設置し、有色の蛍光灯を周囲に設置する。
【考案の詳細な説明】
【技術分野】
【０００１】本考案は有色の蛍光灯にする事で体感温度を上げたり、下げたりする事の出きる蛍光灯です。
【背景技術】
【０００２】有色の電球があるものの、同時に照明し、交互に点灯させる照明させる器具の開発分野を造る事
【考案の開示】
【考案が解決しようとする課題】
【０００３】シーズンごとにカーテンを変えると経済的な負担になる。しかし、白いカーテンとこの有色蛍光灯をセットで使用することでシーズンごとにカーテンを変えずに済みカーテンを作る原油のコストが削減できる
【課題を解決するための手段】
【０００４】本考案は色彩のついた照明にすることにより部屋全体の雰囲気と体感温度を上げたり下げたりすることができる。白いカーテンとセットで使用する事で、より一層の効果を上げることができる
【考案の効果】
【０００５】上述の様に本考案の色彩蛍光灯は毎日使う照明器具で使用する人の気分やシーズンによって体感することができる。
【実施例】
【０００６】白いカーテンとセットで使用することが最良の形態です
【図面の簡単な説明】
【０００７】
【図１】従来の照明器具を上から見た図
【図２】本考案を上から見た図
【符号の説明】
【０００８】１シェード
２有色蛍光灯
３蛍光灯
【図１】
0003125972.tif 000003
【図２】
0003125972.tif 000004
【手続補正書】
【提出日】平成18年7月6日(2006.7.6)
【手続補正１】
【補正対象書類名】実用新案登録請求の範囲
【補正対象項目名】全文
【補正方法】変更
【補正の内容】
【実用新案登録請求の範囲】
【請求項１】
蛍光灯の周辺に設置する色彩蛍光灯。
【手続補正２】
【補正対象書類名】明細書
【補正対象項目名】０００８
【補正方法】変更
【補正の内容】
【０００８】１シェード
２蛍光灯
３色彩蛍光灯
(57)【要約】【課題】  本考案は手袋の指先の腹の部分に眼鏡や携帯機器画面等のレンズ・モニタクリーニング機能を付け、手袋着用時に汚れを簡単に拭き取る事ができる。【解決手段】  手袋の指先の腹の部分に眼鏡拭き等で使用されている超極細繊維（人工スエード等）を縫い付ける事により、従来のクロス状の眼鏡拭きと同様に汚れを拭き取ることができる。【選択図】図１
0003125977.tif 000002
【実用新案登録請求の範囲】
【請求項１】
手袋の指先の腹の部分で、眼鏡、携帯機器等のレンズ・モニタの拭きとりができる手袋。
【考案の詳細な説明】
【技術分野】
【０００１】  本考案は指先の腹の部分に眼鏡や携帯機器画面等のレンズ・モニタクリーニング機能を持たせた手袋に関するものである。
【背景技術】
【０００２】  眼鏡等のレンズが曇るのは、湿度と室内外の温度差により結露が発生するためである。冬に外気との温度差のある場所へ移動すると、とたんに結露が起こり、掛けている眼鏡が曇ってしまう。【０００３】  携帯電話を使用後液晶画面に化粧が付着することがあり、他にも鞄の中に携帯機器を入れておくと中で擦れてモニタが汚れる事がある。
【考案の開示】
【考案が解決しようとする課題】
【０００４】  寒い冬に満員電車に乗ると結露が起こる事が度々あり、曇る眼鏡を拭き取るために携帯用眼鏡拭きを取り出そうとしたが、満員で身動きがとれず鞄から出せなかった。そこで身に着けている手袋にレンズ・モニタクリーニング機能を持たせることにより、汚れた携帯機器のモニタも含め、より簡単に曇りや汚れを取り除く事ができ問題が解決できる。
【課題を解決するための手段】
【０００５】  手袋の指先の腹の部分に眼鏡拭き等で使用されている超極細繊維（人工スエード等）を用いる事により、従来のクロス状の眼鏡拭きと同様の効果を得ることができる。
【考案の効果】
【０００６】  上述の用に、従来の眼鏡拭きに使用されている超極細繊維を用いる事で、レンズ・モニタクリーニングとしては十分な効果を得ることができる。
【考案を実施するための最良の形態】
【０００７】  拭き取りをするにあたり、主に使う指の腹は、親指、人差し指、中指である。縫手袋の製作過程で、その部分に超極細繊維、例えば人工スエードを縫込む。
【実施例】
【０００８】  以下、本件の実施例を添付図面に従って説明する。防寒としての機能を果たす従来の縫手袋の生地４に対し、親指の腹１、人差し指の腹２、中指の腹３に超極細繊維（人工スエード等）を縫込む。眼鏡の場合は片面を部分１、他方を部分２，３をレンズに当て汚れを拭き取る。携帯電話のモニタの場合はモニタの大きさに従って部分１，２，３を組み合わせ使い分けて拭き取る。
【図面の簡単な説明】
【０００９】
【図１】  本考案である眼鏡、携帯機器等のレンズ・モニタの拭きとりができる手袋の実施例を示す正面図（図１）である。
【符号の説明】
【００１０】１    親指の腹の生地（超極細繊維使用）
２    人差し指の腹の生地（超極細繊維使用）
３    中指の腹の生地（超極細繊維使用）
４    手袋の生地
【図１】
0003125977.tif 000003
【手続補正書】
【提出日】平成18年7月3日(2006.7.3)
【手続補正１】
【補正対象書類名】実用新案登録請求の範囲
【補正対象項目名】全文
【補正方法】変更
【補正の内容】
【実用新案登録請求の範囲】
【請求項１】
指先の腹の部分に、レンズ又はモニタを拭き取るための人工スエードを縫い込んだ手袋。
(57)【要約】【課題】  マンション、ベランダは共用部につき、躯体に傷を付けてはならず、又美観をそこなう物は張ってはいけない等の制限があり、鳥害を防ぐことが出来ない。【解決手段】この防鳥ネット取付具は、ネジで締付けての取付けで、傷を付けず高さ角度の調節、収納が簡単に出来るようにした。【選択図】図３
0003125975.tif 000002
【実用新案登録請求の範囲】
【請求項１】
防鳥ネットを簡単に取付け、高さ、角度、収納が出来、取付け部にも傷を付けない伸縮出来るポール付万力。
【考案の詳細な説明】
【考案の詳細な説明】
【考案が解決しようとする課題】
【００１】マンション等のベランダには躯体に傷が付く為、防鳥ネットの取付けが許可されにくく、又、美観の面からも設置が許可されないという問題があった。
【課題を解決するための手段】
【００２】ベランダ等の壁面に取付けても傷を付けず、脱着を容易にし、防鳥ネットの高さ、収納、角度の変更が出来、美観を損ねることも角度の変化にて調整できるようにした。
【考案の効果】
【００３】ネジ２での締付けなので壁面８には傷は付かず、防鳥ネットの取付けポール４の伸縮にて高さ、美観は角度６、収納はポール先端のフック５よりネットを外しアーム３に引き入れる事により、美観をそこなわず保管できる。ポール４も縮めてジョイント６より曲げ目立たなく保管できる。
【図面の簡単な説明】
【図１】正面図
【図２】側面図
【図３】直立使用図
【図４】角度変更使用図
【図５】収納図
【符号の説明】
１  万力本体
２  取付けネジ
３  収納アーム
４  伸縮ポール
５  ネット止フック
６  ジョイント
７  アーム取付ネジ
８  壁面
９  ネット
【図１】
0003125975.tif 000003
【図２】
0003125975.tif 000004
【図３】
0003125975.tif 000005
【図４】
0003125975.tif 000006
【図５】
0003125975.tif 000007
【手続補正書】
【提出日】平成18年7月7日(2006.7.7)
【手続補正１】
【補正対象書類名】実用新案登録請求の範囲
【補正対象項目名】全文
【補正方法】変更
【補正の内容】
【実用新案登録請求の範囲】
【請求項１】
ベランダに取り付けられる万力本体と、この万力本体の上部に設けた、アームと、このアームに設けたジョイントと、このジョイントを介して角度を変更可能に設けられた、防鳥ネットを取り付け可能な伸縮ポールと、を備える防鳥ネット取り付け具。
(57)【要約】      （修正有）【課題】テープカッターをスライドさせ引く事により必要な長さに貼り付け、カットし、再度テープを接着させ貼り付ける作業を、レバー操作によって連続して行なう事が出来るようにする。【解決手段】テープカッターに、テープカットするテープカット用押上棒１０を設ける。この棒はテープ幅より外で、かつ接着面より下に設置し、カットする時に接着面下から進入し、内側に押上げカットする。再度貼り付けるため、接着面の裏側をピストン１１で押し下げ、接着する面に圧着させる。このカットと貼り付け作業をレバー５で操作する。また、カバー上部８を透明にする事により、カット部分を上から覗き、正確に適切な長さにテープを貼り付ける事が出来る。【選択図】図１
0003125971.tif 000002
【実用新案登録請求の範囲】
【請求項１】
従来のテープカッターは接着テープを指ではがし、カットし、貼り付けていたが、テープの接着面を押さえつけてカットするためのテープカット用押上棒を設け、テープカット用押上棒はテープ面の外から進入し、内側に押し上げテープをカットする。そのカットしたテープを貼り付けるため、接着面の裏側から四角柱のピストンで押し下げ、テープを接着する面に押し付け接着させる。そしてテープカッターをスライドして引く事により貼り付けが出来る。また、正確に適切な長さにテープを貼るために、上から覗けるよう本体カバー上部を透明にする。カットと貼り付け作業をレバー操作で簡単に繰り返し行ない、貼る位置と長さを正確に測れ、作業が出来るテープカッターである。
【考案の詳細な説明】
【技術分野】
【０００１】  本考案は、粘着テープのカットと貼り付け作業がレバー操作で出来るテープカッターである。
【背景技術】
【０００２】  従来のテープカッターは、指ではがし、カットし、貼り付けていた。テープを貼り付ける長さが分かり難く、貼り付けるテープが長い場合には絡まる事もある。指を使わずに、テープカッターをスライドさせ引く事により、レバー操作で貼り付けとカットが連続して出来るテープカッターが無かった。
【考案の開示】
【考案が解決しようとする課題】
【０００３】  従来のテープカッターは、指ではがし、カットし、貼り付けていた。指を使わず、接着テープをカットし、貼り付ける作業がレバー操作によって出来る事と、テープカッターをスライドさせ引く事により必要な長さに貼り付け、カットが出来るようにするものである。
【課題を解決するための手段】
【０００４】  本考案は、テープカッターに、接着面を押し上げカッターの刃に押し当てテープカットが出来るテープカット用押上棒を設ける。貼り付けたテープはテープカッター先端部から、テープ本体に向けて数ミリの高さで斜めに間隙を設ける。テープカット用押上棒はその隙間に挿入出来るようテープの外に位置し、カットする時に接着面の下から進入出来る位置に設置する。そして、テープの内側に向け侵入し押し上げてカットする。カットする刃はテープカッター先端部側のテープカット用押上棒に接するように設置する。そして切断部を上から覗ける様に本体カバー上部を透明にする。カットしたテープを再度貼り付けるために、テープ接着面の裏側を押し下げ、接着する面に圧着させる四角柱のピストンを設ける。その時、テープカット用押上棒がテープ幅の外の元の位置に収まる動作と同時に、ピストンも下がって行きテープをしっかり接着させる。接着後ピストンは貼り付けの邪魔にならないよう元の位置に速やかに戻る。このテープカット用押上棒とピストンの一連の動作をレバー操作で行なう事が出来るようにする。
【考案の効果】
【０００５】  上述の様な操作により、従来の様に指での貼り付け作業をする事無く、テープカッターのレバー操作でカット、貼りつけが簡単に出来る。また、テープカット部分を上方より覗くことで、貼りつけ位置の確認が出来、テープカッターをスライドして引く事により必要な長さに貼り付ける事が出来る。この事により、テープを正確に貼り付け、無駄を無くす事が出来る。
【図面の簡単な説明】
【０００６】
【図１】本考案の側面図、点線範囲内は本考案の請求項の詳細部分である。
【図２】本考案のテープカッターの立体図。
【図３】貼り付け時の、テープカット用押上棒とピストン位置の正面図。
【図４】テープカット用押上棒で押し上げ、テープをカットした時の正面図。
【図５】テープを貼り付けるためピストンで押し下げている途中の正面図。
【図６】テープをピストンで接着する面に圧着した状態の正面図。
【図７】貼り付け時の、テープカット用押上棒とピストン位置の側面図。
【図８】テープカット用押上棒で押し上げ、テープをカットした時の側面図。
【図９】テープを貼り付けるためピストンで押し下げている途中の側面図。
【図１０】テープをピストンで接着する面に圧着した状態の側面図。
【図１１】テープカット用押上棒とピストンを制動する円盤の正面図
【符号の説明】
【０００７】１  テープカッター本体
２  テープ本体
３  テープホルダー
４  点線範囲内は本考案の請求項の詳細部分
５  レバー
６  レバー操作伝達部
７  ローラー
８  貼り付け位置確認の為の透明部分
９  カッターの刃
１０  テープカット用押上棒
１１  ピストン
１２  テープ
１３  接着する面
１４  テープカット用押上棒を制動する円盤
１５  ピストンを制動する円盤
１６  テープカット用押上棒とピストンを固定する心棒
【図１】
0003125971.tif 000003
【図２】
0003125971.tif 000004
【図３】
0003125971.tif 000005
【図４】
0003125971.tif 000006
【図５】
0003125971.tif 000007
【図６】
0003125971.tif 000008
【図７】
0003125971.tif 000009
【図８】
0003125971.tif 000010
【図９】
0003125971.tif 000011
【図１０】
0003125971.tif 000012
【図１１】
0003125971.tif 000013
【手続補正書】
【提出日】平成18年6月30日(2006.6.30)
【手続補正１】
【補正対象書類名】実用新案登録請求の範囲
【補正対象項目名】全文
【補正方法】変更
【補正の内容】
【実用新案登録請求の範囲】
【請求項１】
テープ粘着面と接着物の隙間から挿入させ、テープを押上げカットするためのテープカット用押上棒を設け、カットしたテープを再度貼り付けるため、テープ粘着面の裏側を押え付ける、上下に動くピストンを設け、テープのカットと貼り付けがレバー操作で出来るテープカッター。
(57)【要約】      （修正有）【課題】人体色視覚の左右非対称を体感する左右異色眼鏡を提供する。【解決手段】通常の眼鏡形として眼鏡フレーム１には突起２を形成し左、右着色光透過性形成物４，６の切り込み３を差し込んで固定する。鼻あてパット５はフレーム１につけても良いが視界内の遮蔽物を減らすために眼前配置物６，４につけても良く、それらによって装着位置を決めて使用する。【選択図】図１
0003125979.tif 000002
【実用新案登録請求の範囲】
【請求項１】
顔面に装着し、左右眼前を覆い、視覚を操作する器具に於いて、眼前の光透過性配置物を左右に分け、それぞれ異なる色にし、その左右配置物を器具より着脱可能にし、簡便に入れ替可能にした色視覚体感器具。
【考案の詳細な説明】
【技術分野】
【０００１】  本考案は視覚に左右異種の色調視野を得るための顔面装着具に関するものである。
【背景技術】
【０００２】    人体視覚を人為的に操作することで、立体映像等の特殊な体感を得られた。それは左右視野情報の合成機能を利用したものであった。しかし、左右色視覚を非対称性にして、人為的操作するものは無かった。
【考案の開示】
【考案が解決しようとする課題】
【０００３】    人体において、手、指等の動作で左右非対称運動を行ない運動機能の確認を行うこと等は広く知られているが、視覚への同様の運動を行なう時、色によって体感が変化する人間の性質を利用して、色による視覚の左右非対称を体感できる器具によって同様の確認手段を提供することを、課題とする。
【課題を解決するための手段】
【０００４】頭部に本体を固定し、顔面に装着する形態で、左右の眼前に着色光透過性材料で形成した物を左右分離して配置して、装着具本体より着脱可能で交換自由にし、左右視野の色調が多種の非対称になることを手段とする。
【考案の効果】
【０００５】    本器具を装着する事によって視野が左右異種類の色になり、左右視覚の色の識別が眼球の動きと違った意識の中で識別可能となる事を体感出来、又、色の混合と分離を体感する事によって、左右色視覚の非対称運動が行なえる。
【考案を実施するための最良の形態】
【０００６】    通常の眼鏡の形態を用いて行なうことが考えられるが、使用者が眼鏡等を用いている場合は、眼鏡の上から使用出来るように、カチューシャ形状のバンドを固定具として用いて、それに左右眼前の着色光透過性配置物を脱着可能にして、又、左右の着色光透過性配置物は裏表が無い形成物を用いて、反転して入れ替え可能にした組み合わせによって使用範囲を広げる。又、本器具を装着して、着色印刷された物や電子映像を使って、図形や文字等を見分ける事によっても効果的である。
【実施例】
【０００７】    以下添付図によって説明する。図１は通常の眼鏡形として眼鏡フレーム１には突起２を形成し左、右着色光透過性形成物４，６の切り込み３を差し込んで固定する。鼻宛パッ５はフレーム１につけても良いが視界内の遮蔽物を減らすために眼前配置物６、４につけても良く、それらによって装着位置を決めて使用する。【０００８】    図２は頭部の自由位置に取り付ける形態に用いるカチューシャ形状の物である。フレーム１に取り付ける着色光透過性形成物６、４はフレーム１に形成した差込み部２に差し込んでキャップ７を被せて固定する。又、着色光透過性形成物６、４は左右の入れ替え、裏表反転も可能な形状、材質で形成する。
【図面の簡単な説明】
【０００８】
【図１】  眼鏡型非対称色装着具を分解した図である。
【図２】  カチューシャ型左右非対称色視覚体感顔面装着具を分解した図である。
【符号の説明】
【０００９】  １  フレーム
２  脱着受け突起
３  はめ込み穴
４  右着色光透過性形成物
５  鼻宛パッド
６  左着色光透過性形成物
７  キャップ
【図１】
0003125979.tif 000003
【図２】
0003125979.tif 000004
(57)【要約】【課題】本考案はダイヤモンド又はキュービックジルコニアのテーブル面に文字を彫刻することで自分の気持ち又は言葉を相手に伝達できるメッセージ入りの装身具を提供すると共にテーブル面に彫刻したメッセージを付属の折りたたみ式ルーペをセットし肉眼で見るようにすること。【解決手段】レーザー彫刻技術を用いて、ダイヤモンド又はキュービックジルコニアのテーブル面に文字、図形、文章を彫り刻む事により具体的なメッセージを物理的に伝達しやすくする。【選択図】図１
0003125968.tif 000002
【実用新案登録請求の範囲】
【請求項１】
カット済みのダイヤモンド又はキュービックジルコニアのテーブル面にイニシャルメッセージや名前などを彫刻し、付属の折りたたみ式ルーペをセットし覗くことにより彫刻された文字などを確認できる装身具。
【請求項２】
ダイヤモンド又はキュービックジルコニアのテーブル面に文字を彫刻することで自分の気持ち又は言葉を相手に伝達できるメッセージ入りの装身具。
【請求項３】
ダイヤモンド又はキュービックジルコニアのテーブル面に文字を彫刻して有りますが極小サイズかつ精密に彫刻してありますので肉眼ではほとんど確認が出来ないことを特徴とするメッセージや名前などを彫刻した装身具。
【請求項４】
ダイヤモンド又はキュービックジルコニアのテーブル面に文字を彫刻して有りますが自体の美観や色調又はカットなどを損ねることはないメッセージ入りの装身具。
【請求項５】
ダイヤモンド又はキュービックジルコニアのテーブル面に文字を彫刻して有りますが極小サイズかつ精密に彫刻してありますので肉眼ではほとんど確認が出来ないので折りたたみ式ルーペを使うことにより鮮明に読むことができるメッセージ入りの装身具。
【考案の詳細な説明】
【技術分野】
【０００１】本案は、ペンダント、指輪、イヤリング、ピアス等の装身具に関し、更に詳しくはメッセージ、イニシャル、名前入りの装身具に関するものである。
【背景技術】
【０００２】一般に、各種の宝石類にとって、高品質であるためには表面に傷に無いことが必要不可欠な条件であり、特に、ダイヤモンド等の透明又は半透明の宝石類の場合は、テーブル面ではなく、主にガードル部分に日付、商品番号等をレーザーで彫刻する事が一般に行われている。
【考案の開示】
【考案が解決しようとする課題】
【０００３】装身具は使用する人の個性を表現するための道具であると同時に贈答用としても送り主の心を伝える表現として、古来より用いられている。
しかし装身具のみでは、その伝えたい意思が漠然としていて受け取った側がその意思を理解しづらい面がある。
【課題を解決するための手段】
【０００４】この発明は上記課題を解決するものであり、レーザー彫刻技術を用いて、ダイヤモンド、又はキュービックジルコニアのテーブル面に文字、図形、文章、イニシャル等を彫り刻むことにより具体的なメッセージを付属の折りたたみ式ルーペをセットする事により、確認でき物理的に伝達しやすくする
【図面の簡単な説明】
【０００５】
【図１】本考案のメッセージ入りダイヤモンド又はキュービックジルコニアを示す正面図である。
【図２】本考案のメッセージ入りペンダントネックレスを示す正面図である。
【符号の説明】
【０００６】１    ダイヤモンド又はキュービックジルコニア
２    テーブル面
３    メッセージ
４    装身具としての枠
５    石を留める爪
６    鎖
【図１】
0003125968.tif 000003
【図２】
0003125968.tif 000004
【手続補正書】
【提出日】平成18年7月19日(2006.7.19)
【手続補正１】
【補正対象書類名】実用新案登録請求の範囲
【補正対象項目名】全文
【補正方法】変更
【補正の内容】
【実用新案登録請求の範囲】
【請求項１】
テーブル面にイニシャル、メッセージ、名前等が彫刻されたカット済みダイヤモンド又はキュービックジルコニアと、前記カット済みダイヤモンド又はキュービックジルコニアのテーブル面に彫刻された文字等を確認し得る折りたたみ式ルーペとを備えたことを特徴とする装身具。
【手続補正２】
【補正対象書類名】明細書
【補正対象項目名】全文
【補正方法】変更
【補正の内容】
【考案の詳細な説明】
【技術分野】
【０００１】本考案は、ペンダント、指輪、イヤリング、ピアス等の装身具に関し、更に詳しくはメッセージ、イニシャル、名前入りの装身具に関するものである。
【背景技術】
【０００２】一般に、各種の宝石類にとって、高品質であるためには表面に傷に無いことが必要不可欠な条件であり、特に、ダイヤモンド等の透明又は半透明の宝石類の場合は、テーブル面ではなく、主にガードル部分に日付、商品番号等をレーザーで彫刻する事が一般に行われている。
【考案の開示】
【考案が解決しようとする課題】
【０００３】装身具は使用する人の個性を表現するための道具であると同時に贈答用としても送り主の心を伝える表現として、古来より用いられている。
しかし装身具のみでは、その伝えたい意思が漠然としていて受け取った側がその意思を理解しづらい面がある。
【課題を解決するための手段】
【０００４】この考案は、上記課題を解決するものであり、レーザー彫刻技術を用いて、ダイヤモンド又はキュービックジルコニアのテーブル面に文字、図形、文章、イニシャル等を彫り刻み具体的なメッセージを付属の折りたたみ式ルーペをセットする事により、自分の気持ち又は言葉を相手に明確に伝達できるようにしたものである。
【考案の効果】
【０００５】本考案は請求項１のように構成したので次のような効果を奏する。
（１）ダイヤモンド又はキュービックジルコニアのテーブル面に文字を彫刻することで自分の気持ち又は言葉を相手に伝達できるメッセージ入りの装身具となる。
（２）ダイヤモンド又はキュービックジルコニアのテーブル面に文字を彫刻してあるが極小サイズかつ精密に彫刻してあり肉眼ではほとんど確認が出来ないので、秘密感があるメッセージや名前などを彫刻することが出来る。
（３）ダイヤモンド又はキュービックジルコニアのテーブル面に文字を彫刻してあるが、それ自体の美観や色調又はカットなどを損ねることはないメッセージ入りの装身具となっている。
（４）ダイヤモンド又はキュービックジルコニアのテーブル面に文字を彫刻してあり、換言すれば極小サイズかつ精密に彫刻され肉眼ではほとんど確認できないが、折りたたみ式ルーペが付属されているので鮮明に読むことができる意外性に豊んだメッセージ入りの装身具となっている。
【実施例】
【０００６】以下に本考案の実施例を図面に基づき詳細に説明する。
図１において、１はダイヤモンド又はキュービックジルコニア本体を示す。このダイヤモンド又はキュービックジルコニア本体１のテーブル面２には、レーザー彫刻３によりメッセージや名前が彫刻してある。
図２は、上記本体１を実際に装身具とした例であり、４は装身具としての枠である。この枠４の下端には石を留める爪５が設けられている。上記枠４には鎖６が挿通される構成となっている。
【符号の説明】
【０００７】１    ダイヤモンド又はキュービックジルコニア
２    テーブル面
３    メッセージ
４    装身具としての枠
５    石を留める爪
６    鎖
(57)【要約】      （修正有）【課題】テレビに前もって電源ＯＦＦタイマーと最大音量を設定しておくことにより、消し忘れや異常な操作に対する心配事がないテレビ。【解決手段】テレビ本体、またはリモコンに、電源ＯＦＦタイマーや最大音量の初期値設定機能を持たせる。【選択図】図１
0003125964.tif 000002
【実用新案登録請求の範囲】
【請求項１】
電源ＯＦＦタイマーを初期値設定ができることを特徴とするテレビ、又は、そのリモコン
【請求項２】
最大音量を初期値設定ができることを特徴とするテレビ、又は、そのリモコン
【考案の詳細な説明】
【技術分野】
【０００１】  本考案は、テレビの安心設計に関するものである。
【背景技術】
【０００２】  テレビのリモコンの分野では、だれでも簡単に操作できる簡単設計なものが一般的に利用されている。
【考案の開示】
【考案が解決しようとする課題】
【０００３】  簡単設計のリモコンのお陰で、だれでも簡単にテレビを操作できるようになったのだが、小さなお子様の場合に消し忘れが心配である。また、お年寄りの場合に異常なくらいに大音量でテレビを鳴らしてしまいそうで心配である。
【課題を解決するための手段】
【０００４】  テレビに、電源ＯＦＦタイマーを初期値設定ができる機能を持たせ、また、最大音量も初期値設定ができる機能を持たせる。
【考案の効果】
【０００５】  テレビに前もって電源ＯＦＦタイマーと最大音量を設定しておくことにより、消し忘れや異常な操作に対する心配事がなくなる。
【考案を実施するための最良の形態】
【０００６】  電源ＯＦＦタイマーや最大音量の初期値設定は、テレビ本体とリモコンのどちらかに機能を持たせることで実現できる。
【図面の簡単な説明】
【０００７】
【図１】側面図
【符号の説明】
【０００８】１  テレビ本体
２  電源ＯＦＦタイマー設定スイッチ
３  最大音量設定スイッチ
【図１】
0003125964.tif 000003
【手続補正書】
【提出日】平成18年4月19日(2006.4.19)
【手続補正１】
【補正対象書類名】実用新案登録請求の範囲
【補正対象項目名】請求項１
【補正方法】変更
【補正の内容】
【請求項１】
通常の電源（待機電源以外）を「ＯＮ」時に、時間がたてば「ＯＦＦ」タイマー回路が連動して起動され、また、そのタイマー時間をあらかじめ任意値に設定できるスイッチを備えたテレビ
【手続補正２】
【補正対象書類名】実用新案登録請求の範囲
【補正対象項目名】請求項２
【補正方法】変更
【補正の内容】
【請求項２】
最大ボリューム制限回路により、音声出力できる最大値（制限値）をあらかじめ任意値に設定できるスイッチを備えたテレビ
【手続補正３】
【補正対象書類名】明細書
【補正対象項目名】全文
【補正方法】変更
【補正の内容】
【考案の詳細な説明】
【技術分野】
【０００１】  本考案は、テレビの安心設計に関するものである。
【背景技術】
【０００２】  現在のテレビの分野では、誰でも簡単に操作できるものが主流となってきている。
【考案の開示】
【考案が解決しようとする課題】
【０００３】  誰でも簡単に操作できるのだが、小さなお子様の場合に消し忘れが心配である。また、お年寄りの場合に異常なくらいの大音量でテレビを鳴らしてしまいそうで心配である。
【課題を解決するための手段】
【０００４】  テレビに、電源ＯＦＦタイマーを初期値設定ができる機能を持たせ、また、最大音量も初期値設定ができる機能を持たせる。
【考案の効果】
【０００５】  テレビに、あらかじめ電源ＯＦＦタイマーと最大音量値を設定しておくことで、安心してお子様やお年寄りでもテレビを使用することができる。
【考案を実施するための最良の形態】
【０００６】  電源ＯＦＦタイマーや最大音量の初期値設定は、テレビ本体とリモコンのどちらかに機能を持たせることで実現できる。
【図面の簡単な説明】
【０００７】
【図１】  側面図
【符号の説明】
【０００８】  １  テレビ本体
２  電源ＯＦＦタイマー設定スイッチ
３  最大音量設定スイッチ
【手続補正４】
【補正対象書類名】図面
【補正対象項目名】全図
【補正方法】変更
【補正の内容】
【図１】
0003125964.tif 000004
【手続補正書】
【提出日】平成18年6月28日(2006.6.28)
【手続補正１】
【補正対象書類名】実用新案登録請求の範囲
【補正対象項目名】請求項１
【補正方法】変更
【補正の内容】
【請求項１】
待機電源以外の通常の電源を「ＯＮ」時に、時間がたてば「ＯＦＦ」タイマー回路が連動して起動され、また、そのタイマー時間をあらかじめ任意値に設定できるスイッチを備えたテレビ
(57)【要約】      （修正有）【課題】マイナスイオンを発生し、健康維持に貢献するクロスペンダントを提供する。【解決手段】金又は銀又はそれらの合金を材質とするクロスペンダントを空洞型にしてその四方穴をネジ蓋等で密閉し空洞内容器部分にイオン傾向の大きい金属粉又はこれらの合金粉末を充填し、それにマイナスイオンを含有する液体を注入しネジ蓋で密閉し首に掛ける仕組のペンダント。【選択図】図１
0003125966.tif 000002
【実用新案登録請求の範囲】
銀又は金とそれらの合金を材質とするクロスペンダントを空洞型にしてその四方穴をネジ蓋で製作し空洞内容器部分にイオン化傾向の大きい金属粉又はこれらの合金粉末を充填し、その中にマイナスイオンを含有する液体を注入し、ネジ蓋を閉め首に掛ける仕組。
【考案の詳細な説明】
２．考案の詳細な説明
クロスペンダントは１８金で作り約外径４ｍｍ、約内径３ｍｍ、としパイプ型のクロスとする。横は３ｃｍ縦５ｃｍでこの４方穴をネジ蓋で密閉する形に製作する。この空洞部分に充填するイオン化傾向の大きい金属粉又はそれらの合金粉体例えば錫・亜鉛等で又それらの合金とする。その中にマイナスイオンを含有する液体を注入する。すると金属粉体は腐蝕され。そこからマイナスイオン（自由電子）が発生し健康維持に貢献する。
【図１】
0003125966.tif 000003
【手続補正書】
【提出日】平成18年7月10日(2006.7.10)
【手続補正１】
【補正対象書類名】実用新案登録請求の範囲
【補正対象項目名】全文
【補正方法】変更
【補正の内容】
【実用新案登録請求の範囲】
【請求項１】
金又は銀又はそれらの合金を材質とするクロスペンダントを空洞型にしてその四方穴をネジ蓋等で密閉し空洞内容器部分にイオン傾向の大きい金属粉又はこれらの合金粉末を充填し、それにマイナスイオンを含有する液体を注入しネジ蓋で密閉し首に掛ける仕組のペンダント。
【手続補正２】
【補正対象書類名】明細書
【補正対象項目名】全文
【補正方法】変更
【補正の内容】
【考案の詳細な説明】
【技術分野】
【０００１】クロスペンダントは１８金で作り約外径４ｍｍ約内径３ｍｍとしパイプ型のクロスとする。横は約３ｃｍ、縦は約５ｃｍでこの四方穴をネジ蓋で密閉する形に製作する。この空洞部分に充填するイオン化傾向の大きい金属粉又はそれらの合金粉体は例えば錫・亜鉛等で又それらの合金とする。その中にマイナスイオンを含有する液体を注入する。すると金属粉体は腐蝕され、そこからマイナスイオン（自由電子）が発生し健康維持に貢献する。
【図面の簡単な説明】
【図１】正面図
【図２】背面図
【図３】左右側面図
【図４】平面図
【図５】底面図
【図６】撰択図〔１〕クサリをつなぐリング。〔２〕液〔３〕イオン化傾向の大きい金属粉体。〔４〕タップを立てたネジ蓋をセットする。
【手続補正３】
【補正対象書類名】図面
【補正対象項目名】全図
【補正方法】変更
【補正の内容】
【図１】
0003125966.tif 000004
【図２】
0003125966.tif 000005
【図３】
0003125966.tif 000006
【図４】
0003125966.tif 000007
【図５】
0003125966.tif 000008
【図６】
0003125966.tif 000009
(57)【要約】      （修正有）【課題】名入れライターや名入れマッチ等の喫煙具は、いまだもって販促品や広告媒体として台頭しているが、表現スペースも少なく、独自性が出し辛い。話題性を高め、販促品としても広告媒体としても注目度の高い媒体を提供する。【解決手段】タバコパッケージごと収まるケースを考案した事で、タバコをタバコパッケージから出して入れ替えねばならなかった手間の省略も解決し、且つ、デザインを組み合わせることによって作り主の独自性を露呈し、話題性を高め、販促品としても広告媒体としても注目度の高い媒体となる。【選択図】図３
0003125965.tif 000002
【実用新案登録請求の範囲】
【請求項１】
市販されているタバコのパッケージデザイン部分に対してのケース。ボックスケースの形状と同じ形状を持し、上部の開閉蓋部分まで覆い被せる形状。折り目はミシン目加工や筋入れの加工を施し、組み立てる際にも上記の形状が崩れることなく組み立てられる。これらの構造によって表面には広告・広報としての表記や社名なども入れられる事から、販促品及び広告媒体として独自のデザインと絡めることによる考案商品。
【考案の詳細な説明】
【技術分野】
【０００１】
本考案は、タバコケースに関わる販促品及び広告媒体に関するものである。
【背景技術】
【０００２】
従来のタバコケースでは、タバコをタバコパッケージから出して入れ替えねばならなかった。また、入れ替えずにタバコパッケージごと別な容器に入れるというものも存在するが、独創性が低く、タバコを入れているだけの容器でしかなかった。（図２）。
【考案の開示】
【考案が解決しようとする課題】
【０００３】
しかし、これでは、一見してタバコのケースにタバコを入れているだけだと判明し、話題性も低く、販促品としても広告媒体としても商品力に欠けていた。
【課題を解決するための手段】
【０００４】
そこで、タバコパッケージごと収まるケースを考案した事で、タバコをタバコパッケージから出して入れ替えねばならなかった手間を省略し、且つ、デザインを組み合わせることによって作り主の独自性を露呈し、新たな販促品、及び、広告媒体としての機能を増加させる事を考案した（図１）。このケースにより、独自性が増す為、従来の名入れ商品に比べて話題性も高まるのである。
【考案の効果】
【０００５】
よって、本考案のケースにより従来であれば話題にも上がらなかった作り主の広報内容や、広告内容、販促品としての効果が増すことが期待できる。
【考案を実施するための最良の形態】
【０００６】
本考案に関わるタバコケースは図１に示すように、タバコパッケージを完全に内部に納め、当接するようにする。また、タバコケース自体の大きさは、タバコパッケージの高さや奥行き、幅に合わせて決めればよい。素材は紙で形成することが望ましく、折れ線は筋入れ加工やミシン目で形成する。  
【図面の簡単な説明】
【０００７】
【図１】本考案のタバコケース全体図である。
【図２】従来のタバコケースの一例としての図である。
【図３】本考案のタバコケースの使用説明図である。
【符号の説明】
【０００８】
１    本考案のタバコケース
２    従来のタバコケースの一例
３    本考案のタバコケースの使用説明図
【図１】
0003125965.tif 000003
【図２】
0003125965.tif 000004
【図３】
0003125965.tif 000005
【手続補正書】
【提出日】平成18年6月8日(2006.6.8)
【手続補正１】
【補正対象書類名】実用新案登録請求の範囲
【補正対象項目名】全文
【補正方法】変更
【補正の内容】
【実用新案登録請求の範囲】
【請求項１】
市販されているタバコのパッケージデザイン部分に対してのケースにおいて、
（１）ボックスケースの形状と同じ形状を持し、
（２）上部の開閉蓋部分まで覆い被せる形状、
（３）折り目はミシン目加工や筋入れの加工を施し、組み立てる際にも上記の形状が崩れることなく組み立てられる構造、
（４）これらの構造によって表面には広告・広報としての表記や社名なども入れられる事から、販促品及び広告媒体として独自のデザインと絡めることである、
以上からなるシガレットケース。